(57)【要約】【課題】  この発明は、映像表示装置に表示される映像の画質を制御し、消費電力を制御する映像表示装置を提供することを目的とする。【解決手段】  この発明に係る映像表示装置は、当該映像表示装置に対するユーザの位置情報を検出する位置情報検出手段（４１，４２）と、前記検出されたユーザの位置情報に基づいて、当該映像表示装置に対するユーザの位置が近いか遠いかを判断する判断手段（４１）と、前記判断手段で当該映像表示装置に対するユーザの位置が遠いと判断される場合は、消費電力が少ない画質で映像を表示するように構成している。【選択図】      図１
2010128134.tif 000002
【特許請求の範囲】
【請求項１】
映像を表示する映像表示装置において、
当該映像表示装置に対するユーザの位置情報を検出する位置情報検出手段と、
前記検出されたユーザの位置情報に基づいて、当該映像表示装置に対するユーザの位置
が近いか遠いかを判断する判断手段と、
前記判断手段で当該映像表示装置に対するユーザの位置が遠いと判断される場合は、消
費電力が少ない画質で映像を表示することを特徴とする映像表示装置。
【請求項２】
前記判断手段は、予め設定された値と、前記検出されたユーザの位置情報を比較するこ
とにより判断されることを特徴とする請求項１に記載の映像表示装置。
【請求項３】
前記映像表示装置で表示される映像の画質は、少なくとも前記消費電力が少ない画質と
、前記消費電力が少ない画質よりも消費電力が多い画質が構成されることを特徴とする請
求項１に記載の映像表示装置。
【請求項４】
映像を表示する映像表示装置において、
当該映像表示装置に対するユーザの位置情報を検出する位置情報検出手段と、
前記検出されたユーザの位置情報に基づいて、当該映像表示装置に対するユーザの位置
が近いか遠いかを判断する判断手段と、
当該映像表示装置に表示される映像で、ユーザが視聴している特定の範囲を検出する視
聴範囲検出手段を備え、
前記判断手段で当該映像表示装置に対するユーザの位置が近いと判断され、前記視聴範
囲検出手段でユーザが視聴している特定の範囲が検出された場合は、前記映像表示装置に
表示される映像の内、ユーザが視聴している特定の範囲を第１の画質で表示し、前記特定
の範囲以外の一部の映像を前記第１の画質よりも消費電力の少ない第２の画質で表示する
ことを特徴とする映像表示装置。
【請求項５】
映像表示装置に対するユーザの位置情報を検出するステップと、
前記検出されたユーザの位置情報に基づいて、当該映像表示装置に対するユーザの位置
が近いか遠いかを判断するステップと、
当該映像表示装置に対するユーザの位置が遠いと判断される場合は、消費電力が少ない
画質で映像を表示するステップ備えることを特徴とする映像表示方法。
【発明の詳細な説明】
【技術分野】
【０００１】
この発明は、映像を表示する映像表示装置に関する。またこの発明は、映像表示装置に
表示される映像の画質を制御し、消費電力を制御する映像表示装置に関する。
【背景技術】
【０００２】
近年、映像表示装置が普及し、映像表示装置で消費される電力を低減したいという要求
があった。
特許文献１には、ＰＤＰ画面と視聴者の目との間の距離をセンサで検出し、その距離に
応じて画面の表示領域を制限し、消費電力を低減する技術が開示されている。
しかし、この特許文献１においては、ＰＤＰ画面と視聴者の目との間の距離が遠い場合
は、画面を大きくする技術が開示されている。しかし、これでは視聴者がＰＤＰ画面から
遠く離れた場合は、消費電力が増大するという問題があった。
【０００３】
また、特許文献２には、ＴＶ受信機の前に視聴者が居なくなるのをセンサが検知し、そ
の時間の経過と共に画面の明るさを低下させる技術が開示されている。しかし、これでは
視聴者が映像を快適に楽しみたいという要求を満足していないという問題があった。
【特許文献１】特開２００３−５８１０１
【特許文献２】特開２００２−２１８３４３
【発明の開示】
【発明が解決しようとする課題】
【０００４】
そこで、この発明は、上記事情を考慮してなされたもので、ユーザの位置情報を検出し
、映像表示装置に対するユーザの位置が遠いと場合は、消費電力が少ない画質で映像を表
示する映像表示装置を提供することを目的とする。
【課題を解決するための手段】
【０００５】
この発明に係る映像表示装置は、映像表示装置に対するユーザの位置情報を検出する位
置情報検出手段と、検出されたユーザの位置情報に基づいて、当該映像表示装置に対する
ユーザの位置が近いか遠いかを判断する判断手段と、判断手段で当該映像表示装置に対す
るユーザの位置が遠いと判断される場合は、消費電力が少ない画質で映像を表示するよう
に構成している。
【０００６】
この発明に係る映像表示方法は、映像表示装置に対するユーザの位置情報を検出するス
テップと、検出されたユーザの位置情報に基づいて、当該映像表示装置に対するユーザの
位置が近いか遠いかを判断するステップと、当該映像表示装置に対するユーザの位置が遠
いと判断される場合は、消費電力が少ない画質で映像を表示するステップを備えるように
構成している。
【発明の効果】
【０００７】
上記した構成によれば、映像表示装置に表示される映像の画質を制御し、映像表示装置
で消費される電力を低減制御することが可能になるという効果がある。また、映像表示装
置に対する、ユーザの位置に応じて、映像表示装置で消費される電力を低減制御すること
が可能になるという効果がある。
【発明を実施するための最良の形態】
【０００８】
以下、図面を参照し、この発明の実施の形態を説明する。
上記のように、近年、映像表示装置で消費される電力を低減制御することが要求されて
いる。
図１は、この発明の実施の形態に係る映像表示装置を示すブロック図である。
符号４０は映像表示装置、符号３９はアンテナ、符号41は制御部、符号42はカメラ、符
号43は受信機（チューナ）、符号44はデコーダ、符号45は標準画質処理、符号46は高画質
処理、符号47はフレーム補完処理、符号48はマルチプレクサ、符号49は画面(表示装置)、
符号５０はバックライトである。
【０００９】
テレビ放送やインターネット等で、外部から送信された映像信号はアンテナ３９を経由
し、受信機（チューナ）４３で受信される。受信機（チューナ）４３で受信された映像信
号はデコーダ４４で受信され、デコード処理が行われる。このとき、標準画質処理部45、
高画質処理部46、フレーム補完処理部47、マルチプレクサ48、画面(表示装置)49、バック
ライト５０は、それぞれ制御部41に制御され、後述する消費電力低減動作を行う。
【００１０】
制御部41は、カメラ42より画像データを受信し、人物の位置情報を検知する位置判定フ
ローを持つ（後述）。制御部41は、この位置判定フローの結果に基づき、ユーザが近くに
いないと判断すれば、デコーダ44に対して、デコードの精度を落とすよう指示し、消費電
力化を図ることができる。
【００１１】
また、制御部41は、ユーザが近くにいないと判断すれば、マルチプレクサ48を制御し、
標準画質処理45のデータを画面49に出力し、出力高画質処理46及びフレーム補完処理47に
対して、クロックを停止することや、ブロックの電源をOFFするよう制御することで、省
電力化を行うことができる。
【００１２】
尚、ここでは、ユーザは、テレビを視聴している、いないの意思に関わらず、映像表示
装置４０で判定される事象が対象であり、犬、猫等のペットを含む。
上記説明では、この発明をLSIに実装した例を想定している。近年、画面サイズや解像
度の増大により、LSIで処理する画像データも増え、消費される電力も増大している。こ
の発明の実施の形態においては、後述するように、映像表示装置４０で消費される電力の
低減を可能とする。
【００１３】
図２（ａ）は、この発明の実施の形態に係る映像表示装置において行われる画質処理フ
ローを説明するフローチャートである。この発明の実施の形態においては映像表示装置４
０は、例えば、Cell  TV等、画質処理をソフトウェアによって実現するTVシステムである
。
【００１４】
符号S１０は、ここでの開始ステップである。続いて符合Ｓ１０0を付したステップへ進
む。
符号S１００は、映像データを受信するステップである。ここでは、受信機（テレビチ
ューナー）４３を用い、映像データを受信する。続いて符合Ｓ１０１を付したステップへ
進む。
【００１５】
符号S101は、映像表示装置４０に対するユーザの位置を検出する位置判定処理を行うス
テップである。例えば、この処理は、カメラ４２を用いて映像表示装置４０周囲の環境画
像を入力し、制御部４１で画像処理を行い、人物（ユーザ）が、映像表示装置４０の近く
にいるのか、遠くにいるのか、いないのかを判定する。続いて符合S102を付したステップ
へ進む。
【００１６】
符合S102は、位置判定処理(S101)の結果にもとづき、分岐するステップである。分岐は
、図２（ｂ）の表に示すとおりである。
すなわち、ユーザがテレビの近くにいると判断された場合（符号S102-1）は、符号S103
を付したデコード処理１のステップに進む。
ユーザがテレビの遠くにいると判断された場合（符号S102-2）は、符号S104を付したデ
コード処理２のステップに進む。
ユーザがいないと判断された場合（符号S102-3）は、符号S105を付したデコード処理３
のステップに進む。
符号S103は、上記のように、受信した映像データのデコード処理を行うステップである
。デコード処理１のステップ(S103)は、ユーザが近くにいると判断しているので、高画質
なデコード処理を行う。その後、符号S106を付した高画質処理のステップに進む。
【００１７】
符号S104は、上記のように、受信した映像データのデコード処理を行うステップである
。デコード処理２のステップ(S104)は、ユーザが遠くにいると判断しているので、通常画
質のデコード処理を行う。その後、符号S107を付した標準画質処理のステップに進む。
【００１８】
符号S105は、上記のように、受信した映像データのデコード処理を行うステップである
。デコード処理３のステップ(S105)は、ユーザがいないと判断しているので、低画質のデ
コード処理を行う。その後、符号S109を付した低画質処理のステップに進む。
【００１９】
符号S106は、上記デコード処理後のデータに対して、高画質処理を行うステップである
。高画質処理とは、例えば、ノイズリダクションの処理など負荷の大きいソフトウェア処
理が行われる。この処理後、符号S111を付したフレーム補完処理のステップに進む。
【００２０】
符号S107は、上記デコード処理後のデータに対して、標準画質処理を行うステップであ
る。続いて表示処理2のステップ(符号S112)に進む。
符号S109は、上記デコード処理後のデータに対して、必要最低限の画質処理を行うステ
ップである。続いて、表示処理3のステップ(符号S113)に進む。
符号S110は、上記高画質処理後に、映像の動的特性を高めるため、フレーム補完処理を
行うステップである。続いて、表示処理１のステップ(符号S111)に進む。
【００２１】
符号S111は、上記フレーム補完処理後のデータを受け取り、表示処理を行うステップで
ある。続いて、符号Ｓ１１４を付したステップへ進む。
符号S112は、上記標準画質処理のデータを受け取り、表示処理を行うステップである。
続いて、符号Ｓ１１５を付したステップへ進む。
符号S113は、上記低画質処理のデータを受け取り、表示処理を行うステップである。続
いて、符号Ｓ１１６を付したステップへ進む。
符号Ｓ１１４、Ｓ１１５、Ｓ１１６は終了ステップであり、ここでの処理は終了する。
この発明は、上記のように、位置判定結果に応じて画質処理を行うので、ユーザが感じ
る違和感を低減させ、映像表示装置で消費される電力の低減（省電力化）を図ることが可
能となる。
【００２２】
図３は、この発明の実施の形態に係る映像表示装置において行われる位置判定フローを
説明するフローチャートである。
ここでの位置判定フローは、例えば映像表示装置４０に取り付けられたカメラ４２を用
い、周囲の画像入力結果に基づいて行われ、その結果は、上記図２のS102のステップで利
用される。
【００２３】
符号S201は、映像表示装置４０に取り付けられたカメラ４２を用い、周囲の環境画像を
入力し、画像処理に進むステップである。続いて符合S202を付したステップに進む。
【００２４】
符合S202は、取り込まれた画像を処理し、位置検知データを求めるステップである。続
いて、符号S203を付したステップに進む。
符号S203は、上記位置検知データに基づき、人（ユーザ）の有無を判定する。ユーザが
いなければ、テレビを見ていないと判定する。この場合、符号Ｓ２０７を付したステップ
へ進む。人がいたと判定された場合、映像表示装置４０に対して、遠いか近いかの判定ス
テップ（符号S204）に進む。
【００２５】
符号S204は、位置検知データに基づき、人（ユーザ）の位置を判定するステップである
。人（ユーザ）の位置が遠ければ、例えば、テレビ（映像表示装置４０）を遠くで見てい
ると判定する（符号Ｓ２０６）。近ければ、テレビの近くに人がいると判定する（符号Ｓ
２０５）。尚、遠い、近いの判断は、例えば、予め決められた距離との比較で行う。
【００２６】
符号Ｓ２０５、符号Ｓ２０６、符号Ｓ２０７は終了ステップであり、ここでの処理は終
了する。
この発明は、上記のように、ユーザが感じる違和感を低減させ、映像表示装置で消費さ
れる電力の低減（省電力化）を図ることが可能となる。
図４は、この発明の実施の形態に係る映像表示装置において行われる視野判定フローを
説明するフローチャートである。
この発明の実施の形態は、例えば、映像表示装置（テレビ）４０の画面が大画面になり
、かつ高精細なものになった場合、テレビ映像の特定範囲しか見ないような場合を想定し
ている。
【００２７】
符号S301は、周囲環境画像をカメラや人感センサなどから入力する（画像を取り込む）
ステップである。続いて、画像処理を行うステップ（符号S302）に進む。
【００２８】
符号S302は、取り込まれた画像を処理し、視野範囲データにするステップである。続い
て、符合S303を付したステップに進む。
符号S303は、視野判定を行い、テレビ全体が視野に入っているか、テレビ画面の一部が
視野に入っているかの判定を行うステップである。テレビ全体が視野に入っていると判定
された場合は、符号Ｓ３０４を付したステップへ進む。テレビ画面の一部が視野に入って
いると判定された場合は、符号Ｓ３０５を付したステップへ進む。
【００２９】
符号Ｓ３０４、符号Ｓ３０５は終了ステップであり、ここでの処理は終了する。
上記のように構成することで、符号S303のステップで求められた判定データを、図２に
示す画質処理フローに取り入れることで、例えば、上記デコード処理１(S103)，デコード
処理２(S104)，デコード処理３(S105)の、入力映像のデコード範囲を制限したり、上記表
示処理１(S111)，表示処理２(S112)，表示処理３(S113)における表示範囲を制限したりす
ることで、ソフトウェアの負荷を削減することが可能になる。
【００３０】
この発明は、上記のように、ユーザが感じる違和感を低減させ、映像表示装置で消費さ
れる電力の低減（省電力化）を図ることが可能となる。
上記のように構成することによって、この発明の実施の形態においては、ユーザが感じ
る違和感を低減させ、映像表示装置で消費される電力の低減（省電力化）を図ることが可
能となるという効果がある。
【００３１】
なお、この発明は、上記した実施の形態そのままに限定されるものではなく、実施段階
では、その趣旨を逸脱しない範囲で、構成要素を種々変形して具体化することが可能であ
る。
【図面の簡単な説明】
【００３２】
【図１】この発明の実施の形態に係る映像表示装置を示すブロック図。
【図２】この発明の実施の形態に係る映像表示装置において行われる画質処理フローを説明するフローチャート。
【図３】この発明の実施の形態に係る映像表示装置において行われる位置判定フローを説明するフローチャート。
【図４】この発明の実施の形態に係る映像表示装置において行われる視野判定フローを説明するフローチャート。
【符号の説明】
【００３３】
３９…アンテナ、４０…映像表示装置、41…制御部、42…カメラ、43…受信機（チュー
ナ）、44…デコーダ、45…標準画質処理、46…高画質処理、47…フレーム補完処理、48…
マルチプレクサ、49…画面(表示装置)、５０…バックライト。
【図１】
2010128134.tif 000003
【図２】
2010128134.tif 000004
【図３】
2010128134.tif 000005
【図４】
2010128134.tif 000006